(57)【要約】      （修正有）【課題】襟カバーが洗濯する時簡単に着脱でき、且つ布団のよじれも直せる襟カバー付きの布団カバーを提供する。【解決手段】多数の連結具を大きな布団カバーの中で連結し直す作業は実に面倒であり、布団上端中央と両角に取り付けてあるワッカ４やホック等の連結具と布団カバー１の内側の上端中央と両角に取り付けてある紐５とホック等の連結具３組を取り付ける。その連結具の連結作業は布団カバー１の外で行うため、布団カバー１の上端中央１か所に開口部を設ける。次は、布団カバーの上に被せた襟カバー７は布団カバー１の開口部と対応した部分に１か所の開口部６ａを設ける。更に布団カバー１の左右両側の片側にファスナー２を取り付け、もう片側に開口部３を作る。【選択図】図３
0003149364.tif 000002
【実用新案登録請求の範囲】
【請求項１】
布団に取り付けてある布団カバーとその上に被せた襟カバーをオープンファスナーや面ファスナーやボタン等の結合具で結合する布団のよじれを直す襟カバー付きの布団カバーである。
【請求項２】
布団上端中央と両角に取り付けてある連結具と布団カバーの内側の上端中央と両角に取り付けてある連結具計３組を取り付け、その中央の連結具が布団カバーの上端中央に露出するため、布団カバーの上端中央１か所に開口部を設け、布団カバーの外に露出した連結具が更に布団カバーの上に被せた襟カバーの外に露出させるため、襟カバーは布団カバーの開口部と対応した部分に１か所の開口部を設けた布団のよじれを直す襟カバー付きの布団カバーである。
【請求項３】
布団上端中央と両角に取り付けてある連結具と布団カバーの内側の上端中央と両角に取り付けてある連結具計３組を取り付け、その３組の連結具が布団カバーの上端中央と両角に露出するため、布団カバーの上端中央と両角の３か所に開口部を設け、布団カバーの外に露出した連結具が更に布団カバーの上に被せた襟カバーの外に露出させるため、襟カバーは布団カバーの開口部と対応した部分に３か所の開口部を設けた布団のよじれを直す襟カバー付きの布団カバーである。
【請求項４】
布団カバーの左右両側の片側に１８０センチメートル位のファスナーを取り付け、もう片側に１５センチメートル位の開口部を設けたようにした請求項１、２または３記載の布団のよじれを直す襟カバー付きの布団カバーである。
【考案の詳細な説明】
【技術分野】
【０００１】  本考案は布団カバーの中で、よじれたり、たるんだりしている布団を簡単に直せる布団カバーの構造、また、布団カバーの汚れを防ぐために付けた襟カバーが洗濯する時簡単に着脱できる布団のよじれを直す襟カバー付きの布団カバーに関するものである。
【背景技術】
【０００２】  布団カバーは顔や首に当たる部分だけが汚れやすい。また、就寝中布団が布団カバーの中によじれたり、たるんだりすることがよく見られる現象である。一般市販の布団がそれを解決するために布団の四角に４か所、または四角のほか、更に布団の４辺の中央にそれぞれ１か所を増やし、計８か所にワッカやホックを取り付け、布団カバーの内側の四角に４か所、または布団カバーの内側の４辺の中央にそれぞれ１か所を増やし、計８か所に紐やホックを取り付けている。よって、布団の周辺に取り付けたワッカとホックと布団カバーの内側周辺に取り付けた紐やホックを結合して、布団のよじれやたるみを防いでいる。
【考案の開示】
【考案が解決しようとする課題】
【０００３】  布団カバーは顔や首に当たる部分が特に汚れる。その部分的な汚れのために大きな布団カバーをこまめに洗濯することは無理がある。そのため、布団カバーの上に更に襟カバーを取り付けて使用する。しかしその襟カバーを取り付ける方法に関してはさまざまな課題が生じる。
イ）通常、針と糸でつけたりしているが洗濯や交換する時に、実は面倒で手間暇が掛か    る作業である。
ロ）安全ピンでとめる方法も良く使われているが、ピンが外れたりして人体を刺す危険    がある。また安全ピンでとめている所の布地が破れたりする欠点がある。
ハ）面ファスナーを利用している方法もあるが、洗濯をしているうちに面ファスナーに      ゴミが付着して、面ファスナーの効力が失われてしまうことがある。
ニ）袋状の襟カバーを布団カバーの上端部をかぶせて使用する方法もある。しかし、か      ぶせただけなので、睡眠中に取れてしまう問題が生じる。
そのほかにもう一つ解決したい課題がある。それは一般市販の布団がよじれやたるみを生じないため、布団の四角に４か所、または四角のほか、更に布団の各辺の中央にそれぞれ１か所に増やし、計８か所に紐やホックで布団カバーと結んで、布団のよじれやたるみを防いでいた。しかし、その紐やホックが外れ、結び直すためには、大きな布団カバーの中で多数の細い紐や小さいホックを結び直すことは非常に面倒な作業である。
本考案は汚れ防止用の布団カバーの襟カバーが洗濯する時、簡単に着脱できる襟カバー付きで、同時に布団のよじれやたるみを簡単に直せる布団のよじれを直す襟カバー付きの布団カバーを提供しようとするものである。
【課題を解決するための手段】
【０００４】  汚れ防止用の襟カバーを洗濯や交換する時、簡単に着脱できない課題を解決するため、布団に取り付けてある布団カバーとその上に被せた襟カバーをオープンファスナーや面ファスナーやボタン等の結合具で結合する。
多数の連結具を大きな布団カバーの中で連結し直す作業は実に面倒である、その課題を解決するために、布団上端中央と両角に取り付けてあるワッカやホック等の連結具と布団カバーの内側の上端中央と両角に取り付けてあるワッカとホック等の連結具３組を取り付ける。その連結具の連結作業は布団カバーの外で行うため、布団カバーの上端中央１か所に開口部を設ける。または布団カバーの上端中央と両角、計３か所に開口部を設ける。次は、布団カバーの上に被せた襟カバーは布団カバーの開口部と対応した部分に１か所、または３か所の開口部を設ける。更に布団カバーの左右両側の片側に１８０センチメートル位のファスナーを取り付け、もう片側に１５センチメートル位の開口部を設ける。
【考案の効果】
【０００５】  上述の様に、布団に取り付けてある布団カバーとその上にかけた襟カバーをオープンファスナーや面ファスナーやボタン等の結合具で結合することによって、襟カバーの洗濯や交換をする時、簡単に着脱することができるようになる。
布団カバーと襟カバーの上端中央と両角の３か所に開口部があるため、中央と両端の連結具の連結作業は布団カバーと襟カバーの外で行うことができるようになる。
開口部は中央１か所をしか設けない時、布団カバーの内側の両角の連結作業は布団カバーの外に行うため、布団カバーの右側か左側に取り付けてある１８０センチメートル位のファスナーを開け、この開けた部分の上端を裏返せば、その内側の角にある連結具が露出する。よって、連結具の連結作業が布団カバーの外で行うことができるようになる。また、布団カバーの左側または右側にある１５センチメートル位の開口部の上端を裏返せば、その内側の角にある連結具が露出する。よって、布団カバーの内側両角の連結具の連結作業は布団カバーの外で行うことができるようになる。
布団と布団カバーの上端中央と両角の３か所の結合具をさえしっかり結合していれば、後は布団カバーと襟カバー毎を持ち上げ、上下振れば、布団のよじれやたるみを直ちに解消するようになる。よって、大きな布団カバーの中で多数の連結具の連結し直す面倒な作業が解決できるようになる。
【考案を実施するための最良の形態】
【０００６】  図１乃至図３は本考案の実施の一形態を示すもので、以下の構成とする。
布団を使用する時、頭の方向を上部とし、足の方向を下部とする【０００７】  布団を装着するために布団カバー１の両縦方向の片側に１８０センチメートル位のファスナー２を取り付ける。これは布団カバー１の使用状態の左側とする。縦方向のもう一つの片側に布団カバー１の上端から５センチメートル位の所から布団の下部に向かって１５センチメートル位の開口部３を設ける。これは布団カバー１の使用状態の右側とする。【０００８】  布団の上端中央と両角にワッカ４を３個つける。布団カバーの内側の上端中央と両角には紐５を３本つける。布団上端中央のワッカ４と布団カバー１の内側の上端中央の紐５を布団カバー１の外に結べるように、図１で示すように、布団カバー１の上端中央に５センチメートル位の開口部６を設ける。布団と布団カバー１を連結するものは、ワッカと紐だけではなく、ホックとホック等、良好に連結できるものなら、すべて使用できます。【０００９】  布団の上端左側角のワッカ４と布団カバー１の内側の上端左角の紐５の結びが外れて、結び直す場合、布団カバー１の左側にある１８０センチメートル位のファスナー２を開け、この開いている所の上端部分を裏返せば、布団カバー１の内側上端左角についている紐５が露出するようになる。よって、布団カバー１の外に露出した上端左側の紐５と布団の左角のカッワ４とを結ぶ作業は布団カバー１の外で非常に簡単に結べるようになる。
布団の上端右側角のワッカ４と布団カバー１の内側の上端右角の紐５の結びが外れて、結び直す場合、布団カバー１の右側に１５センチメートル位の開口部３の上端部分を裏返せば、布団カバー１の内側上端右角についている紐５を露出するようになる。よって、布団カバー１の外に露出した上端右角の紐５と布団上端右角のワッカ４とを結ぶ作業は布団カバー１の外で簡単に行えるようになう。【００１０】  襟カバー７は幅がおよそ１００センチメートル位で、長さは５０センチメートル位のものを使用する。襟カバー７の横幅の両端に、図２で示すように、それぞれスライダーのあるオープンファスナー８ａとスライダーのないオープンファスナー８ｂを取り付ける。そのスライダーのないオープンファスナー８ｂをつけている一端は襟カバー７の上端とする。一方、スライダーのあるオープンファスナー８ａをつけている一端は襟カバー７の下端とする。
布団の上端中央のワッカ４と布団カバー１の内側の上端中央の紐５の結ぶ作業は布団カバー１の外で行うだけではなく、更に布団カバーの上に被せた襟カバー７の外でも行えるように、図２で示すように、襟カバー７の上端から下端に方向に３０センチメートルの所に布団カバーの横方向の中央に７センチメートル位の開口部６ａを設ける。
襟カバー７の上端についているスライダーのないオープンファスナー８ｂは、図３で示すように、布団カバーの表についているスライダーのあるオープンファスナー８ａと結合する。襟カバー７の下端についているスライダーのあるオープンファスナー８ａは布団カバー１の裏についているスライダーのないオープンファスナー８ｂと結合する。よって、オープンファスナー８ａ、８ｂの開閉によって襟カバー７が着脱の作業は非常に簡単にできる。【００１１】  襟カバー７と布団カバー１の結合具はオープンファスナー８だけではなく、面ファスナー、紐と紐、紐とボタンホール、スナップボタン等、とにかく安全で且つ着脱簡単な結合具なら、すべて使用可能である。【００１２】  次に図４乃至図６は本考案の他の形態を示すもので、以下の構成とする。
布団を使用する時、頭の方向を上部とし、足の方向を下部とする【００１３】  布団を装着するために布団カバー１の両縦方向の片側に１８０センチメートル位のファスナー２を取り付ける。これは布団カバー１の使用状態の左側とする。縦方向のもう一つの片側に布団カバー１の上端から５センチメートル位の所から布団の下部に向かって１５センチメートル位のファスナー９を取り付ける。これは布団カバー１の使用状態の右側とする。【００１４】  布団の上端中央と両角にワッカ４を３個つける。布団カバーの内側の上端中央と両角には紐５を３本つける。布団上端中央と両角のワッカ４と布団カバー１の内側の上端中央と両角の紐５を布団カバー１の外に結べるように、図４で示すように、布団カバー１の上端中央と両角に５センチメートル位の開口部６を３個設ける。布団と布団カバー１を連結するものは、ワッカと紐だけではなく、ホックとホック等、良好に連結できるものなら、すべて使用できます。【００１５】  布団の上端左側角のワッカ４と布団カバー１の内側の上端左角の紐５の結びが外れて、結び直す場合、布団カバー１の左側にある１８０センチメートル位のファスナー２を開け、この開いている所の上端部分を裏返せば、布団カバー１の内側上端左角についている紐５が露出するようになる。よって、布団カバー１の外に露出した上端左側の紐５と布団の左角のカッワ４とを結ぶ作業は布団カバー１の外で非常に簡単に行えるようになる。
布団の上端右側角のワッカ４と布団カバー１の内側の上端右角の紐５の結びが外れて、結び直す場合、布団カバー１の右側に１５センチメートル位のファスナーを開け、その開けた部分の上端部分を裏返せば、布団カバー１の内側上端右角についている紐５を露出するようになる。よって、布団カバー１の外に露出した上端右角の紐５と布団上端右角のワッカ４とを結ぶ作業は布団カバー１の外で簡単に行えるようになう。【００１６】  襟カバー７は幅がおよそ１５０センチメートル位で、長さは５０センチメートル位のものを使用する。襟カバー７の横幅の両端に、図５で示すように、それぞれスライダーのあるオープンファスナー８ａとスライダーのないオープンファスナー８ｂを取り付ける。そのスライダーのないオープンファスナー８ｂをつけている一端は襟カバー７の上端とする。一方、スライダーのあるオープンファスナー８ａをつけている一端は襟カバー７の下端とする。
布団の上端中央のワッカ４と布団カバー１の内側の上端中央の紐５の結ぶ作業は布団カバー１の外で行うだけではなく、更に布団カバーの上に被せた襟カバー７の外でも行えるように、図５で示すように、襟カバー７の上端から下端の方向に３０センチメートル位の所に布団カバー１の横方向の中央と両角に７センチメートル位の開口部６ａを３個設ける。
襟カバー７の上端についているスライダーのないオープンファスナー８ｂは、図６で示すように、布団カバーの表についているスライダーのあるオープンファスナー８ａと結合する。襟カバー７の下端についているスライダーのあるオープンファスナー８ａは布団カバー１の裏についているスライダーのないオープンファスナー８ｂと結合する。オープンファスナー８ａ、８ｂの開閉によって襟カバー７の着脱の作業は非常に簡単にできる。【００１７】  襟カバー７と布団カバー１の結合具はオープンファスナー８だけではなく、面ファスナー、紐と紐、紐とボタンホール、スナップボタン等、とにかく安全で且つ着脱簡単な結合具なら、すべて使用可能である。
【図面の簡単な説明】
【００１８】
【図１】本考案の実施の一形態を示す布団カバーの平面図である。
【図２】図１に示す布団カバーに取り付ける襟カバーの斜視図である。
【図３】襟カバーを装着した状態の布団カバーの平面図である。
【図４】本考案の実施の他の形態を示す布団カバーの平面図である。
【図５】襟カバーの他の形態を示す斜視図である。
【図６】図５に示す襟カバーを装着した状態の布団カバーの平面図である。
【符号の説明】
【００１９】    １    布団カバー
２    布団カバーの左側に取りつけているファスナー
３    布団カバーの右側の開口部
４    布団の上端中央と両角のワッカ
５    布団カバーの内側上端中央と両角の紐
６    布団カバーの上端中央と両角の開口部
６ａ  襟カバーの開口部
７    襟カバー
８    オープンファスナー
８ａ  スライダーのあるオープンファスナー
８ｂ  スライダーのないオープンファスナー
９    布団カバーの右側に取りつけているファスナー
【図１】
0003149364.tif 000003
【図２】
0003149364.tif 000004
【図３】
0003149364.tif 000005
【図４】
0003149364.tif 000006
【図５】
0003149364.tif 000007
【図６】
0003149364.tif 000008